(57)【要約】【課題】第１の目的は、簡易な構成により便器洗浄手段を作動させて、便器内部を自動洗浄する洋風便器装置を提供することにあり、更に、第２の目的は、便器洗浄手段作動中において、便器外部への洗浄水の飛散を低減できる洋風便器装置を提供する。【解決手段】便器本体１９に開閉自在に形設された便蓋１３及び便座１４と、便器内部に洗浄水を噴出する便器洗浄手段２１とを備えた洋風便器装置１０であって、前記便器本体は、前記便蓋の状態を検知する検知手段１１を備えており、前記便器洗浄手段は、前記検知手段から前記便蓋の閉状態信号を受信したときには、前記便器内部の洗浄を開始する構成としている。【選択図】図１
2008050898.tif 000002
【特許請求の範囲】
【請求項１】
便器本体に開閉自在に形設された便蓋及び便座と、便器内部に洗浄水を噴出する便器洗浄手段とを備えた洋風便器装置であって、
前記便器本体は、前記便蓋の状態を検知する検知手段を備えており、
前記便器洗浄手段は、前記検知手段から前記便蓋の閉状態信号を受信したときには、前記便器内部の洗浄を開始することを特徴とする洋風便器装置。
【請求項２】
請求項１において、
前記便器本体は、前記便蓋の閉状態を保持するロック手段を更に備えており、
前記便器洗浄手段は、前記検知手段から前記便蓋のロック状態信号を受信したときには、前記便器内部の洗浄を開始することを特徴とする洋風便器装置。
【請求項３】
請求項１又は２において、
前記便蓋は、前記便器内部の洗浄時に該便器内部で噴出される洗浄水の前記便座の着座面への付着を防ぐ着座面防水手段を設けていることを特徴とする洋風便器装置。
【請求項４】
請求項１乃至３のいずれか１項において、
前記便蓋と前記便器本体の上端周辺との隙間には、シール部材を介在させていることを特徴とする洋風便器装置。
【発明の詳細な説明】
【技術分野】
【０００１】
本発明は、洋風便器装置に関し、詳しくは、便蓋の閉状態やロック状態を検知して、便器内部を自動洗浄する機能を備えた洋風便器装置に関するものである。
【背景技術】
【０００２】
従来、洋風便器装置では、便器内部のボウル部に排泄された排泄物を水洗レバーの操作、あるいは自動水洗システムによる水洗動作によりボウル部の下方に位置する排水口より流し出す構成となっている。
ボウル部への給水には、通常、便器本体の上端に周設されるリム部よりボウル部に向けて水洗用水を放出する構成が多用されており、前記リム部の形状は、便器本体の外壁上端付近（スカート部上端付近）から水平方向に上辺と底辺を突設させ、該上辺と該底辺とに連結される内辺とで、断面視略矩形状に形成され、前記水洗用水を該底辺の所定の箇所に設けられた複数のリム孔から放出する構成となっている。
【０００３】
前記構成のようなリム部の場合、前記内辺及び前記底辺に、便器内部から飛散する尿などの汚れが付着しやすく、また、それらには水洗用水が放出されない、すなわち、水洗用水が触れないため、前記のような水洗動作では、このような箇所に付着した汚れを除去することは困難であった。
【０００４】
前記のような問題を解決するものとして、特許文献１では、図７に示すように、便蓋３と便座４を閉じた状態で、便器内部５を洗浄する洗浄ノズル２を備え、使用者が便蓋３を閉めて、操作部（不図示）のスイッチを入にすると、洗浄ノズル２から洗浄水を吐出し、便器内部を清掃できる大便器１が提案されている。
【特許文献１】特開２０００−１４４８４６号公報
【発明の開示】
【発明が解決しようとする課題】
【０００５】
しかし、前記特許文献１で提案されている大便器１では、洗浄ノズル２による洗浄動作を操作部のスイッチ操作により作動する構成、あるいはタイマーなどと連動し定期的に清掃する構成とされており、使用者にとって、そのスイッチ操作やタイマー設定が煩わしく使い勝手の悪いものであった。
また、洗浄ノズル２による洗浄水の噴出により便蓋がわずかに開き、便器本体上端部と便蓋との間に空隙が形成され、そこから洗浄水が飛散する恐れがあった。
【０００６】
本発明は、前記問題を解決するために提案されたもので、第１の目的は、簡易な構成により便器洗浄手段を作動させて、便器内部を自動洗浄する洋風便器装置を提供することにあり、更に、第２の目的は、便器洗浄手段作動中において、便器外部への洗浄水の飛散を低減できる洋風便器装置を提供することにある。
【課題を解決するための手段】
【０００７】
前記目的を達成するために、請求項１に記載の洋風便器装置は、便器本体に開閉自在に形設された便蓋及び便座と、便器内部に洗浄水を噴出する便器洗浄手段とを備えた洋風便器装置であって、前記便器本体は、前記便蓋の状態を検知する検知手段を備えており、前記便器洗浄手段は、前記検知手段から前記便蓋の閉状態信号を受信したときには、前記便器内部の洗浄を開始することを特徴とする。
ここに、便器内部とは、便蓋が閉じられた状態で形成される空間の便器洗浄手段により洗浄される部分を指し、ボウル部のみを指すものではなく、少なくともリム部の一部も含まれるものである。
【０００８】
請求項２では、請求項１において、前記便器本体は、前記便蓋の閉状態を保持するロック手段を更に備えており、前記便器洗浄手段は、前記検知手段から前記便蓋のロック状態信号を受信したときには、前記便器内部の洗浄を開始することを特徴とする。
ここに、ロック手段による便蓋の閉状態の保持は、少なくとも前記便器洗浄手段からの洗浄水の噴出により便蓋が開状態とならない程度の保持を含むものである。
【０００９】
請求項３では、請求項１又は２において、前記便蓋は、前記便器内部の洗浄時に該便器内部で噴出される洗浄水の前記便座の着座面への付着を防ぐ着座面防水手段を設けていることを特徴とする。
【００１０】
請求項４では、請求項１乃至３のいずれか１項において、前記便蓋と前記便器本体の上端周辺との隙間には、シール部材を介在させていることを特徴とする。
【発明の効果】
【００１１】
請求項１乃至４に記載の洋風便器装置によれば、便蓋の状態を検知する検知手段からの信号により便器内部の洗浄を開始する構成としているので、スイッチ操作やタイマー設定などの操作を行う必要がなく、便蓋の状態に応じて、自動的に洗浄が行われ、使い勝手の良いものとなる。
【００１２】
請求項２では、ロック手段を設け、便蓋のロック状態を検知したときに便器内部の洗浄を開始する構成としているので、ロックの有無により自動洗浄を制御することが可能となり、使用の都度、自動洗浄を行う構成に比べて、節電、節水が図れる。
また、ロック手段を設けているので、便器洗浄手段からの洗浄水の噴出により便蓋がわずかに開くことがなく、洗浄水が便器外部へ飛散することを低減できる。
【００１３】
請求項３では、便蓋に着座面防水手段を設けているので、便器内部の洗浄時に噴出される洗浄水が、便座の着座面に付着することがなく、洗浄直後でも不快感を伴うことなく使用が可能な洋風便器装置となる。
【００１４】
請求項４では、便蓋と便器本体の上端周辺との隙間にシール部材を介在させているので、便蓋を閉じると、便蓋と便器本体の上端周辺との間に空隙が形成されず、便器洗浄手段から噴出される洗浄水が便器外部へ飛散することを防止できる。
【発明を実施するための最良の形態】
【００１５】
以下に、本発明の実施の形態について、図面を参照しながら説明する。
図１は、第１実施形態に係る洋風便器装置を示す概略斜視図である。
【００１６】
図１に示す洋風便器装置１０では、便器本体１９の後部に水洗タンクを備えていない、水道配管直結方式、いわゆるタンクレスタイプのものを図示しているが、水洗タンクを備えたものにも適用可能である。
図例の便器本体１９は、ボウル部１５と、ボウル部１５の上端に周設されたリム部１２と、ボウル部１５の外周に形設されたスカート部１６と、便器本体１９の後方に位置する便蓋・便座設置部１７に開閉自在に枢着された便座１４及び便蓋１３と、スカート部１６の後方位置に各種装置やボウル部１５への水洗用水を供給する吐出口などを内包するサイドカバー１８を備えている。
尚、詳述は省略するが、洋風便器装置１０は、ボウル部１５に排泄された排泄物を流すための給水システム及び排水システムなどの便器装置として必要な他の構成を備えていることは当然である。
【００１７】
また、本実施形態に係る洋風便器装置１０は、便器内部に洗浄水を噴出する便器洗浄ノズル（便器洗浄手段）２１を備えている。
便器洗浄ノズル２１は、ボウル部１５の後方から便器内部の空間の略中央に、その便器内部用の噴出口２１ａが位置するように、便蓋・便座設置部１７内の便器洗浄ノズル駆動機構（不図示）により伸長駆動され、洗浄水を便器内部に向けて噴出する構成となっている。
本実施形態では、便器洗浄ノズル２１は、洗浄ノズル２０の一部をなし、洗浄ノズル２０は、人体局部に向けて洗浄水を噴出する人体局部用の噴出口２２ａと、便器内部に向けて洗浄水を噴出する便器内部用の噴出口２１ａを有し、図示のような二段構成とし、人体局部用の噴出口２２ａを先端とする局部洗浄ノズル２２と、それに回転及び伸縮自在に内装され、便器内部用の噴出口２１ａを先端とする便器洗浄ノズル２１から構成されている。
【００１８】
このように構成された洗浄ノズル２０は、人体局部を洗浄する際には、局部洗浄ノズル２２のみが、便器後方から伸長され、人体局部用の噴出口２２ａのみより洗浄水を噴出し、また、便器内部を洗浄する際には、局部洗浄ノズル２２とともに便器洗浄ノズル２１も伸長され、便器内部用の噴出口２１ａより洗浄水を噴出する構成となっている。
更に、便器洗浄ノズル２１は、洗浄水の噴出中には、回転作動、伸縮作動するように構成されており、これにより、便器内部の全体に洗浄水が噴出されるようになっている。
【００１９】
さらに、便器本体１９は、便蓋１３の状態を検知する検知手段１１を備えており、本実施形態では、閉状態検知センサ１１が検知手段を構成している。
詳しくは、閉状態検知センサ１１は、赤外線センサなどから構成され、便蓋１３が閉状態となった場合に、便蓋１３により遮蔽される便器本体１９の所定位置に配設されている。
尚、閉状態検知センサ１１としては、図例のものに限られず、便蓋１３の閉状態を検知できる便器本体１９の所定位置に配設すればよく、また、磁気センサなどから構成してもよい。
【００２０】
前記のように構成された洋風便器装置１０では、ＣＰＵなどからなる制御手段（不図示）の制御により、以下のような動作を行う。
使用者が便蓋１３を閉じると、閉状態検知センサ１１が、便蓋１３の閉状態を検知し、便器洗浄ノズル２１は、閉状態検知センサ１１からの閉状態信号を受信すると、前記したように、便器洗浄ノズル２１を所定の位置に伸長駆動し、便器内部に洗浄水を噴出し、便器内部の洗浄を開始する。
【００２１】
前記のように構成された洋風便器装置１０によれば、使用者は、便蓋１３を閉じるだけで、便器洗浄ノズル２１を作動させることができるので、スイッチ操作やタイマー設定などの必要がなく、簡易な構成により便器洗浄ノズル２１を作動させることができ、便器内部の洗浄を行うことができる。
【００２２】
尚、便器洗浄手段としては前記した便器洗浄ノズル２１に限られず、局部用ノズル２２とは別体として便器洗浄ノズル２１を設けてもよく、また、便器洗浄ノズルではなく、例えば、洗浄水を微粒子状にしたミストを発生させるミスト発生器をサイドカバー１８内などに設け、ファンにより便器内部全体をミストにより洗浄する構成としてもよい。このような構成によれば、便器内部の隅々にまでミストが行き渡り十分な洗浄をすることができる。
【００２３】
また、便器洗浄手段による便器内部の洗浄中は、ボウル部からの汚物や水洗用水を排出する際に作動させるトラップ部（不図示）、例えばターントラップ方式のトラップ部を、水洗動作時同様に作動させてもよい。これにより、ボウル部に洗浄水が貯水されることなく排出されるため、ボウル部下方まで十分に洗浄を行え、また、洗浄水がボウル部に満水となることなく便器外部へも溢水することがない。
【００２４】
さらに、便器洗浄手段による便器内部の洗浄後は、例えば、温風乾燥装置により便器内部を乾燥させる構成としてもよい。温風乾燥装置としては、公知の人体局部の洗浄後に人体局部を乾燥する装置などを便器内部の乾燥装置として兼用してもよく、このような構成によれば、カビの発生などを抑制することができる。
さらにまた、便器洗浄手段による便器内部の洗浄中は、洗浄中であることをブザーやランプにより報知する構成としてもよい。
【００２５】
次に、本実施形態に係る洋風便器装置１０が備える検知手段の変形例について、図２を参照しながら説明する。
図２は、便器本体１９が備える便蓋・便座設置部１７に便蓋１３及び便座１４が枢着されている内部の拡大斜視図である。
図例では、便蓋１３が開いた状態（開状態）、便座１４が閉じた状態（閉状態）を示している。
詳しくは、便座１４は、便座枢軸１４ａにより便蓋・便座設置部１７に形設された枢着部に枢着されており、便蓋１３も同様に、便蓋枢軸１３ａにより枢着されている。
また、便蓋枢軸１３ａの外側端には、回転体１３ｃが連設されており、回転体１３ｃには回転突起１３ｂが突設されている。
【００２６】
さらに、便蓋・便座設置部１７には、便蓋１３を閉じた状態で、回転突起１３ｂが近接する位置に、便蓋検知突起１７ａが突設されており、便蓋検知突起１７ａの背面側（後方側）には、検知手段を構成する閉状態検知センサ１１Ａが配設されている。
このように構成された洋風便器装置１０では、使用者が、便蓋１３を閉じると、便蓋枢軸１３ａ及び回転体１３ｃとともに、回転突起１３ｂも回転し、便蓋・便座設置部１７の便蓋検知突起１７ａに近接し、閉状態検知センサ１１Ａが、便蓋１３が閉じられたことを検知する、すなわち、便蓋１３の閉状態を検知する構成としている。
便蓋１３の閉状態を検知すると前述のように便器洗浄ノズル２１が作動され、便器内部の洗浄が行われる。
尚、他の構成は第１実施形態と同様であるため、説明を省略する。
【００２７】
次に、本発明に係る他の実施の形態について、図面を参照しながら説明する。
図３は、第２実施形態に係る洋風便器装置の要部拡大斜視図である。
第１実施形態との相違点は、ロック手段を更に備えている点、及び検知手段の構成であり、他の構成は、第１実施形態と同様であるため、同一符号を付し、説明を省略する。
【００２８】
本実施形態に係る洋風便器装置１０Ａは、便蓋１３の閉状態を保持するロック手段を更に備えている。
ロック手段は、本実施形態では、便蓋１３の張出部１３ｄ（図１参照）の枢着部近傍（開状態における下部近傍）に断面視略台形状に形設されたロック溝２３ａに摺動自在に挟持されたスライドロック２３と、便蓋・便座設置部１７の前方側下部近傍、すなわち、便蓋１３の閉状態でスライドロック２３に対応する位置に、ロック溝２３ａと同形状に形設されたスライド溝１７ｂとで構成されており、更に、スライド溝１７ｂのスライド方向前端側（便器後方側）に、検知手段を構成するロック状態検知センサ１１Ｂが配設されている。
【００２９】
前記のように構成されたロック手段は、使用者が便蓋１３を閉じると、スライドロック２３とスライド溝１７ｂとが同一直線上に位置し、スライドロック２３をスライド溝１７ｂに向けてスライドさせることにより、便蓋１３の閉状態を保持するロック手段として機能する（図４（ｂ）も参照）。
【００３０】
前記のように構成された洋風便器装置１０Ａでは、ＣＰＵなどからなる制御手段（不図示）の制御により、以下のような動作を行う。
使用者が、便蓋１３を閉じて、前記したように、スライドロック２３をスライド方向前端側までスライドさせると、ロック状態検知センサ１１Ｂが、便蓋１３のロック状態を検知し、便器洗浄ノズル２１（図１参照）は、ロック状態検知センサ１１Ｂからのロック状態信号を受信すると、前記したように、便器洗浄ノズル２１を所定の位置に伸長駆動し、便器内部に洗浄水を噴出し、便器内部の洗浄を開始する。
【００３１】
前記のように構成された洋風便器装置１０Ａによれば、使用者は、スライドロック２３をスライドさせることにより自動洗浄を制御することが可能となり、使用の都度、自動洗浄を行う構成に比べて、節電、節水が図れる。
また、ロック手段を設けているので、便器洗浄ノズル２１からの洗浄水の噴出により便蓋がわずかに開くことがなく、洗浄水が便器外部へ飛散することを低減できる。
さらに、本実施形態では、ロック手段としてスライド式のものを適用しているので、便器本体１９Ａから突出する部分がなく、美観を損なわずにロック手段を設けることができる。
【００３２】
尚、ロック手段は、本実施形態で例示したものに限られず、例えば、スライドロックを便蓋・便座設置部１７側に設け、スライド溝を便蓋１３側に設ける構成や、便蓋・便座設置部１７の上面に回動自在に軸支された押え板などで、便蓋１３が閉じられた状態の上面を押える構成や、本実施形態と同様の箇所に、掛けフックとフック止めなどをそれぞれ設けて、便蓋１３の閉状態を保持する構成などとしてもよい。
また、ロック状態検知センサも本実施形態で例示したものに限られず、ロック手段の構成に合わせて種々のものが適用可能である。
【００３３】
次に、本発明に係る更に他の実施の形態について、図面を参照しながら説明する。
図４は、第３実施形態に係る洋風便器装置を示し、（ａ）は、便蓋の斜視図、（ｂ）は、一部破断側面図である。
第２実施形態との相違点は、便蓋１３に着座面防水手段を設けている点であり、他の構成は第２実施形態と同様であるため、同一符号を付し、説明を省略する。
【００３４】
本実施形態に係る洋風便器装置１０Ｂは、便蓋１３に、便器内部の洗浄時に便器内部で噴出される洗浄水の便座１４の着座面１４ａへの付着を防ぐ着座面防水手段を設けている。
詳しくは、着座面防水手段は、本実施形態では、便座１４の開口部に応じた環状壁部２４を、便蓋１３の裏面に突設した構造、すなわち、便座１４の開口部の形状に併せて、略楕円形の環状に突設させ、その突設高さは、図４（ｂ）に示すように、便蓋１３の閉状態で、環状壁部２４の外周面が、便座１４の開口部の内周縁に当接するような高さとされている。
【００３５】
前記のように構成された環状壁部２４は、便蓋１３の閉状態では、便座１４の開口部に嵌入されて、前記のような便器洗浄ノズル２１による便器内部の洗浄時に便器内部で噴出される洗浄水の便座１４の着座面１４ａへの付着を防ぐ着座面防水手段として機能する。
すなわち、図４（ｂ）に示すように便器洗浄ノズル２１の噴出口２１ａより洗浄水が噴出されると、ボウル部１５の全体、リム部１２の底辺や内辺、上辺の一部及び便座１４の裏面の一部などは十分に洗浄水の噴出により洗浄されるが、便座１４の着座面１４ａは、環状壁部２４により便器内部と便座１４の着座面１４ａとの間に空隙が形成されず洗浄水が付着しない構成となっている。
【００３６】
前記構成によれば、簡易な構成により便座１４の着座面１４ａへの洗浄水の付着を防止することができるので、洗浄直後でも不快感を伴うことなく使用が可能な洋風便器装置となり、また、前記したような乾燥装置を備えなくとも洗浄直後に不快感を伴うことなく使用が可能なので、簡易な構成により便器内部を自動洗浄する機能を備えた洋風便器装置を提供できる。
尚、環状壁部２４として、本実施形態では、ゴムなどの弾性体により形成されたものを適用しているが、どのようなものでもよく、例えば、熱可塑性の合成樹脂材で形成されたものでもよい。また、シール性のない合成樹脂材で形成する場合は、便座１４の開口部との当接部位にシール部材を設けることが好ましい。これにより、確実に便器内部から便座１４の着座面１４ａへの洗浄水の付着を防止することができる。
また、本実施形態では、第２実施形態と同様に、ロック手段を設けた構成としているが、第１実施形態にて説明した洋風便器装置にも適用可能である。
【００３７】
次に、本実施形態に係る洋風便器装置１０Ｂが備える着座面防水手段の変形例について、図４を参照しながら説明する。
図４は、本変形例に係る洋風便器装置を示し、（ａ）は、便蓋の斜視図、（ｂ）は、要部拡大縦断面図である。
第３実施形態との相違点は、着座面防水手段の構成であり、他の構成は第３実施形態と同様であるため、同一符号を付し、説明を省略する。
【００３８】
詳しくは、本変形例の着座面防水手段は、便座１４の開口部の形状に併せて、略楕円形に形成された便座開口部閉塞体２５を、下方（便蓋１３の閉状態における下方）に付勢されたスプリング２５ａを介して便蓋１３の裏面に取り付けた構成としており、便蓋１３の閉状態で、便座１４の開口部の内周縁の全周に便座開口部閉塞体２５の少なくとも一部が当接するように形成されている。
【００３９】
前記構成によれば、下方に付勢されたスプリング２５ａの押圧力により便座１４へ確実に便座開口部閉塞体２５を当接させることができ、便座１４の着座面１４ａへの洗浄水の付着を防止することができ、また、軽量かつ簡易な構成により着座面防水手段を構成することができる。
尚、本変形例では、下方に付勢されたスプリング２５ａを介して便座開口部閉塞体２５を便蓋１３の裏面に取り付ける構成としているため、前記したロック手段を設けたものに適用することが好ましい。これにより、ロック手段で、便蓋１３の閉状態を保持し、洗浄水の便器外部への飛散を低減することができるとともに、便座開口部閉塞体２５で、便座１４の着座面１４ａへの洗浄水の付着を防止することができる。
【００４０】
また、便座開口部閉塞体２５としては、どのようなものでもよく、例えば、熱可塑性の合成樹脂材で形成されたものでもよい。また、シール性のない合成樹脂材で形成する場合は、便座１４の開口部との当接部位にシール部材を設けることが好ましい。これにより、確実に便器内部から便座１４の着座面１４ａへの洗浄水の付着を防止することができる。
【００４１】
次に、本発明に係る洋風便器装置の変形例を図６に基づいて説明する。
図６は、本変形例を示し、図４（ｂ）における一点鎖線で示した部分の要部拡大縦断面図である。
尚、本変形例は、前記した第１実施形態乃至第３実施形態に適用可能であるが、これに限られず、本発明に係る他の実施の形態にも適用可能である。
【００４２】
詳しくは、本変形例では、便蓋１３と便器本体１９の上端周辺との隙間には、シール部材２６を介在させている。
シール部材２６は、便蓋１３を閉じた状態で、便蓋１３の下方に突設した張出部１３ｄの下端（便蓋１３を閉じた状態における下端を指す）に沿って周状に配設されており、便蓋１３を閉じると、シール部材２６が、便器本体１９の上端、すなわち、本変形例では、リム部１２の上辺の略全周に亙って当接し、便蓋１３と便器本体１９との間に空隙が形成されないように構成されている。
【００４３】
前記構成によれば、便器洗浄ノズル２１による便器内部の洗浄時にも洗浄水が便器外部に飛散しない構成となる。
すなわち、便器洗浄ノズル２１から噴出された洗浄水は、前述のようにボウル部１５の全体、リム部１２の底辺や内辺、上辺の一部及び便座１４の裏面の一部などは十分に洗浄水の噴出により洗浄されるが、便器外部へは洗浄水が飛散しない構成となる。
また、前記したロック手段を備えた構成の洋風便器装置に本変形例を適用すれば、ロック手段により、便蓋１３の閉状態を保持できるので、シール部材２６のシール性を向上させることができ、便器外部への洗浄水の飛散を確実に防止することができる。
さらに、前記した着座面防水手段を備えた構成の洋風便器装置に本変形例を適用すれば、便座１４の着座面１４ａにも洗浄水が付着せず、更に、便器外部へも洗浄水が飛散しない構成となる。
さらにまた、特に寒冷地等では、便蓋１３を閉じると便器内部の空間の密封性、保温性が増すため、ボウル部１５に常時溜められている溜水の凍結を防止することができる。
【００４４】
また、本変形例のように張出部１３ｄの下端にシール部材２６を配設する構成とし、便蓋１３とスカート部１６とに段差が形成されないような構成とすれば、便蓋１３の閉状態では、すっきりとした清潔感に溢れるデザイン性の良い洋風便器装置となるとともに、便蓋１３の閉状態で使用者が便蓋１３やスカート部１６の外面の清掃を行い易いものとなる。
【００４５】
尚、シール部材としては、水密性のある部材であればどのようなものでもよく、また、配設箇所としては、本変形例に示したものに限られず、例えば、便蓋１３の形状をスカート部１６よりも大、例えば、張出部１３ｄの内径をスカート部１６の外径よりも大となるように形成し、張出部１３ｄの下方への突出高さを更に高く形成して、その内周端縁にシール部材を配設する構成として、スカート部１６の上端外周部に該シール部材が当接するような構成としてもよい。
【図面の簡単な説明】
【００４６】
【図１】本発明に係る洋風便器装置の実施形態の一例を示す概略斜視図である。
【図２】本発明に係る洋風便器装置の同実施形態における検知手段の変形例を示す要部拡大斜視図である。
【図３】本発明に係る洋風便器装置の実施形態の他例を示す要部拡大斜視図である。
【図４】本発明に係る洋風便器装置の実施形態の更に他例を示し、（ａ）は、便蓋の斜視図、（ｂ）は、一部破断側面図である。
【図５】本発明に係る洋風便器装置の同実施形態の変形例を示し、（ａ）は、便蓋の斜視図、（ｂ）は、便蓋を閉じた状態の要部拡大縦断面図である。
【図６】本発明に係る洋風便器装置の変形例を示し、図４（ｂ）における一点鎖線で示した部分の要部拡大縦断面図である。
【図７】従来例を示す図である。
【符号の説明】
【００４７】
１０、１０Ａ、１０Ｂ      洋風便器装置
１１、１１Ａ      閉状態検知センサ（検知手段）
１１Ｂ      ロック状態検知センサ（検知手段）
１３      便蓋
１４      便座
１７ｂ      スライド溝（ロック手段）
１９、１９Ａ、１９Ｂ      便器本体
２１      便器洗浄ノズル（便器洗浄手段）
２３      スライドロック（ロック手段）
２４      環状壁部（着座面防水手段）
２５      便座開口部閉塞体（着座面防水手段）
２６      シール部材
【図１】
2008050898.tif 000003
【図２】
2008050898.tif 000004
【図３】
2008050898.tif 000005
【図４】
2008050898.tif 000006
【図５】
2008050898.tif 000007
【図６】
2008050898.tif 000008
【図７】
2008050898.tif 000009